(57)【要約】【課題】  車椅子を使用する人が、車椅子のままで、容易に用意出来、かつ出来るだけ入浴し易い浴槽を提供する。【解決手段】  四角形状の底板を設け、当該底板を中心として当該底板及びその周囲を被うように防水シートを広げ、当該底板上の、シートを広げた上に車椅子を載せ、当該シートの四隅を持ち上げ、上記底板の四方の端縁であって、当該四隅を持ち上げた状態のシートの周囲の四方に側板を立設して上記底板と一体な外枠を組立て自在に形成し、当該外枠の上部に設けた係止部に上記シートの端縁を係止して当該シートを吊り下げ、当該端縁を吊り下げたシートによって形成された当該シート上の空間内に湯を入れて車椅子のまま入浴出来る車椅子用浴槽とした。【選択図】図１
2006297048.tif 000002
【特許請求の範囲】
【請求項１】
四角形状の底板を設け、当該底板を中心として当該底板及びその周囲を被うように防水シートを広げ、当該底板上の、シートを広げた上に車椅子を載せ、当該シートの四隅を持ち上げ、上記底板の四方の端縁であって、当該四隅を持ち上げた状態のシートの周囲の四方に側板を立設して上記底板と一体な外枠を組立て自在に形成し、当該外枠の上部に設けた係止部に上記シートの端縁を係止して当該シートを吊り下げ、当該端縁を吊り下げたシートによって形成された当該シート上の空間内に湯を入れて車椅子のまま入浴出来ることを特徴とする、車椅子用浴槽。
【請求項２】
四角形状の底板を設け、当該底板の四方の端縁の一端を残した各端縁に夫々側板を立設して一側が開放した外枠を形成し、当該外枠の底板上に、当該外枠よりやや小さく略同形状の合成樹脂製又はゴム製の断面略凹部状の伸縮式内槽を内部に空気を未充填の状態で載置し、
上記外枠の開放した一側から当該外枠の底板上に在る上記伸縮式内槽の底面上に車椅子を載せ、その後当該外枠の開放した一側に側板を立設して閉じ、上記伸縮式内槽に設けた給気口から空気を入れて当該伸縮式内槽を膨張させて浴槽形状に形成し、上記伸縮式内槽の内側凹部に湯を入れて車椅子のまま入浴出来ることを特徴とする、車椅子用浴槽。
【請求項３】
上記伸縮式内槽に設けた給気口から湯を入れて当該伸縮式内槽内を膨張させて浴槽形状に形成し、当該浴槽形状に形成した伸縮式内槽に設けた吐出口から湯を当該伸縮式内槽の内側凹部に入れ、車椅子のまま入浴出来ることを特徴とする、上記請求項２に記載の車椅子用浴槽。
【請求項４】
合成樹脂製又はゴム製の断面略凹部状の伸縮式浴槽の側壁を上下に複数の層で構成し、当該複数の層のうちの何れかの層に給湯口を設け、各層を一方弁によって接続し、これらの層うち一つ又は複数の層に吐出口を設け、
上記伸縮式浴槽の底面上に車椅子を載せ、上記給湯口から湯を入れた際、湯が順に各層内に充填されて浴槽形状を形成し、当該浴槽形状に形成した伸縮式浴槽に設けた吐出口から湯を当該伸縮式浴槽の内側凹部に入れて車椅子のまま入浴出来ることを特徴とする、車椅子用浴槽。
【請求項５】
上記伸縮式浴槽の複数の層のうちの何れかの層に給湯口を設け、上記給湯口から空気を入れた際、空気が順に各層内に充填されて浴槽形状を形成し、上記伸縮式浴槽の内側凹部に湯を入れて車椅子のまま入浴出来ることを特徴とする、上記請求項４に記載の車椅子用浴槽。
【請求項６】
四角形状の底板を設け、当該底板の四方の端縁の一端を残した各端縁に夫々側板を立設して一側が開放した外枠を形成し、当該外枠の開放した一側を、複数の横長の板体を縦方向に接続して昇降自在な蛇腹式板体によって形成し、当該外枠の底板上に、当該外枠よりやや小さい上記伸縮式内槽を内部に空気又は湯を未充填の状態で載置し、
上記伸縮式内槽内に空気又は湯を充填した際、充填した空気又は湯によって形成された当該伸縮式内槽の側壁の高さに相応して上記蛇腹式板体の高さを形成出来ることを特徴とする、上記請求項２乃至５の何れかに記載の車椅子用浴槽。
【請求項７】
四角形の底板を設け、当該底板の四方の端縁に側板を立設し、各側板と底板とは底板に設けた切り溝に、各側板の下端から突出する差込突片を嵌め入れて接合し、各側板相互の接合は各側板の各側端縁に設けた凹凸構造の凹凸嵌合により行い、各側板と底板、各側板相互の接合部分にパッキン材を沿わせて設けて組み立て自在としたことを特徴とする、車椅子用浴槽。
【請求項８】
四角形の底板を設け、当該底板の四方の端縁に側板を立設し、各側板と底板とは底板に設けた切り溝に、各側板の下端から突出する差込突片を嵌め入れて接合し、各側板相互の接合は、底板上の一方の対角線上の二つの接合部については蝶番により行い、他方の対角線上の二つの接合部については係止体と非係止体により行い、各側板と底板、各側板相互の接合部分にパッキン材を沿わせて設けて組み立て自在としたことを特徴とする、車椅子用浴槽。
【請求項９】
四角形の底板を設け、当該底板の四方の端縁に側板を立設し、各側板と底板とは底板に設けた切り溝に、各側板の下端から突出する差込突片を嵌め入れて接合し、各側板相互の接合は隣接する側板の一方の側に係止体を設け他方の側板に被係止体を設け、これらの係止体を被係止体に係止する構造とし、各側板と底板、各側板相互の接合部分にパッキン材を沿わせて設けて組み立て自在としたことを特徴とする、車椅子用浴槽。
【請求項１０】
四角形の底板を設け、当該底板の四方の端縁に側板を立設し、各側板と底板とは底板に設けた切り溝に、各側板の下端から突出する差込突片を嵌め入れて接合し、各側板相互の接合は蝶番により行い、各側板と底板、各側板相互の接合部分にパッキン材を沿わせて設けて組み立て自在としたことを特徴とする、車椅子用浴槽。
【請求項１１】
四角形の底板を設け、当該底板の四方の端縁に側板を立設し、側板の外側下端に断面略横Ｖ字型の溝を設け、また底板の四方の端縁に上記各側板の下端を差し込む切り溝を設け、これらの各切り溝は上面から下面に向かっていると共に、底板の外側から内側に向かっている傾斜した断面を有し、かつ当該溝の内面下端の外側に、上記側板の下端の断面略横Ｖ字型の溝が嵌る突条を設け、当該溝の内面上部の内側に垂直壁を設け、上記各側板下端を外側から当該切り溝に斜めに入れて側板を略垂直に立てた際、側板の外側の断面略横Ｖ字型の溝が上記切り溝の突条に嵌り、かつ側板の内側下端が切り溝の内面上部の内側の垂直壁に当接する構成とし、各側板の接合は、隣接する側板の一方の側板に係止体を設け、他方の側板に被係止体を設けこれらの係止体を被係止体に係止する構造とし、各側板と底板、各側板相互の接合部分にパッキン材を沿わせて設けて組み立て自在としたことを特徴とする、車椅子用浴槽。
【請求項１２】
四角形の底板を設け、当該底板の四方の端縁に側板を立設し、側板の外側下端に横向きの突片を設け、また底板の四方の端縁に上記各側板の下端を差し込む切り溝を設け、これらの各切り溝は上面から下面に向かっていると共に、底板の外側から内側に向かっている傾斜した断面を有し、かつ当該溝の内面下端の外側に、上記側板の下端の突片が嵌る突条を設け、当該溝の内面上部の内側に垂直壁を設け、上記各側板下端を外側から当該切り溝に斜めに入れて側板を略垂直に立てた際、側板の外側下端の突片が上記切り溝の突条に嵌り、かつ側板の内側下端が切り溝の内面上部の内側の垂直壁に当接する構成とし、各側板の接合は、隣接する側板の一方の側板に係止体を設け、他方の側板に被係止体を設け、これらの係止体を被係止体に係止する構造とし、各側板と底板、各側板相互の接合部分にパッキン材を沿わせて設けて組み立て自在としたことを特徴とする、車椅子用浴槽。
【請求項１３】
上記各側板の下端の外形形状と同じ外形形状を有するカバーを設けて、これを各側板の下端に嵌め、また上記各底板の側板の下端を差し込む切り溝の内周形状と同じ内周形状を有するカバーを設けて、これを底板の四方の端縁に設けた溝に嵌めたことを特徴とする、請求項１１、又は１２のいずれかに記載の車椅子用浴槽。
【請求項１４】
上記各側板及び底板を木製とし、これら各側板及び底板の表面に防水塗料を塗布し、その塗布面に剥離剤を施した後、これらの上から鏡面仕上げの平板を圧着し、上記防水塗料が固化した後、上記平板を剥がして構成した各側板及び底板としたことを特徴とする、請求項７、８、９、１０、１１、１２、及び１３のいずれかに記載の車椅子用浴槽。
【発明の詳細な説明】
【技術分野】
【０００１】
この発明は、構造もそれ程複雑ではなく、車椅子に乗ったままで手軽に入浴出来る浴槽に関するものである。
【背景技術】
【０００２】
我が国においては、昨今、急速に高齢化が進んでおり、病気や怪我などで体が不自由な人の他にも車椅子を使用する人の数が増加している。最近では、公共の建物や電車の駅などでもバリアフリー化が進み、プラットホーム等に直結したエレベータの設置なども盛んに行われている。また、車椅子を使用する人がいる家庭では、住居のバリアフリー化を進め、段差の無い、車椅子を使用する人にとって都合のよい住宅環境の整備が行われている。  
【０００３】
この様に、各家庭や公共の建物等において、バリアフリー化が進められているが、車椅子に乗ったままで入れる浴槽というのは、実際、あまり見られない。これは、入浴というものが、プライベートな事柄であって入浴する時間や回数というのも人によって異なり、また、入浴時間も長時間必要というわけではなく、一日の時間から見れば、僅かであって、入浴自体がさほど重要視されていないということに基づくものと思われる。
【０００４】
その一方で、入浴は単にプライベートな事柄ではなく、まして、病人や怪我人、また高齢者にとって、公衆衛生上も重要な事柄であり、怪我人等が何日も入浴しないでいると不衛生になり、却って、怪我を悪化させたり、悪化させないまでも怪我の回復を遅らせるなどの結果を招くことがある。また、高齢者や怪我人等が入浴したいと思っても、自分一人で入浴出来ない時には、どうしても入浴の機会を逸してしまい、その結果、何日も入浴しないという不衛生な状態を招来していた。
【０００５】
そんな中、介護者が必要ないという浴槽も開発されている。例えば、浴槽の一側の側板をエアーシリンダーによって開閉自在に設け、この一側にシール材とロック機構を設け、さらに、この側板及び底板の内側面に車椅子の誘導溝を設けたというものである。
【特許文献１】特開２００１−２４５９４８号公報
【発明の開示】
【発明が解決しようとする課題】
【０００６】
しかしながら、この浴槽は、単に車椅子のままで入れるということのみを想定したもので、実際に浴槽内にどの様に湯を溜めて使用するか、また、排水はどうするのかなど具体的なことは何等記載されておらず、不明である。
【０００７】
そこで、この発明はこれらの点に鑑みて為されたもので、車椅子を使用する人が、車椅子のままで、容易に用意出来、かつ出来るだけ入浴し易い浴槽を提供して上記課題を解決するものである。
【課題を解決するための手段】
【０００８】
請求項１の発明は、四角形状の底板を設け、当該底板を中心として当該底板及びその周囲を被うように防水シートを広げ、当該底板上の、シートを広げた上に車椅子を載せ、当該シートの四隅を持ち上げ、上記底板の四方の端縁であって、当該四隅を持ち上げた状態のシートの周囲の四方に側板を立設して上記底板と一体な外枠を組立て自在に形成し、当該外枠の上部に設けた係止部に上記シートの端縁を係止して当該シートを吊り下げ、当該端縁を吊り下げたシートによって形成された当該シート上の空間内に湯を入れて車椅子のまま入浴出来る車椅子用浴槽とした。
【０００９】
請求項２の発明は、四角形状の底板を設け、当該底板の四方の端縁の一端を残した各端縁に夫々側板を立設して一側が開放した外枠を形成し、当該外枠の底板上に、当該外枠よりやや小さく略同形状の合成樹脂製又はゴム製の断面略凹部状の伸縮式内槽を内部に空気を未充填の状態で載置し、上記外枠の開放した一側から当該外枠の底板上に在る上記伸縮式内槽の底面上に車椅子を載せ、その後当該外枠の開放した一側に側板を立設して閉じ、上記伸縮式内槽に設けた給気口から空気を入れて当該伸縮式内槽を膨張させて浴槽形状に形成し、上記伸縮式内槽の内側凹部に湯を入れて車椅子のまま入浴出来る車椅子用浴槽とした。
【００１０】
請求項３の発明は、上記伸縮式内槽に設けた給気口から湯を入れて当該伸縮式内槽内を膨張させて浴槽形状に形成し、当該浴槽形状に形成した伸縮式内槽に設けた吐出口から湯を当該伸縮式内槽の内側凹部に入れ、車椅子のまま入浴出来る上記請求項２に記載の車椅子用浴槽とした。
【００１１】
請求項４の発明は、合成樹脂製又はゴム製の断面略凹部状の伸縮式浴槽の側壁を上下に複数の層で構成し、当該複数の層のうちの何れかの層に給湯口を設け、各層を一方弁によって接続し、これらの層うち一つ又は複数の層に吐出口を設け、上記伸縮式浴槽の底面上に車椅子を載せ、上記給湯口から湯を入れた際、湯が順に各層内に充填されて浴槽形状を形成し、当該浴槽形状に形成した伸縮式浴槽に設けた吐出口から湯を当該伸縮式浴槽の内側凹部に入れて車椅子のまま入浴出来る車椅子用浴槽とした。
【００１２】
請求項５の発明は、上記伸縮式浴槽の複数の層のうちの何れかの層に給湯口を設け、上記給湯口から空気を入れた際、空気が順に各層内に充填されて浴槽形状を形成し、上記伸縮式浴槽の内側凹部に湯を入れて車椅子のまま入浴出来る上記請求項４に記載の車椅子用浴槽とした。
【００１３】
請求項６の発明は、四角形状の底板を設け、当該底板の四方の端縁の一端を残した各端縁に夫々側板を立設して一側が開放した外枠を形成し、当該外枠の開放した一側を、複数の横長の板体を縦方向に接続して昇降自在な蛇腹式板体によって形成し、当該外枠の底板上に、当該外枠よりやや小さい上記伸縮式内槽を内部に空気又は湯を未充填の状態で載置し、上記伸縮式内槽内に空気又は湯を充填した際、充填した空気又は湯によって形成された当該伸縮式内槽の側壁の高さに相応して上記蛇腹式板体の高さを形成出来る上記請求項２乃至５の何れかに記載の車椅子用浴槽とした。
【００１４】
請求項７の発明は、四角形の底板を設け、当該底板の四方の端縁に側板を立設し、各側板と底板とは底板に設けた切り溝に、各側板の下端から突出する差込突片を嵌め入れて接合し、各側板相互の接合は各側板の各側端縁に設けた凹凸構造の凹凸嵌合により行い、各側板と底板、各側板相互の接合部分にパッキン材を沿わせて設けて組み立て自在とした、車椅子用浴槽とした。
【００１５】
請求項８の発明は、四角形の底板を設け、当該底板の四方の端縁に側板を立設し、各側板と底板とは底板に設けた切り溝に、各側板の下端から突出する差込突片を嵌め入れて接合し、各側板相互の接合は、底板上の一方の対角線上の二つの接合部については蝶番により行い、他方の対角線上の二つの接合部については係止体と非係止体により行い、各側板と底板、各側板相互の接合部分にパッキン材を沿わせて設けて組み立て自在とした、車椅子用浴槽とした。
【００１６】
請求項９の発明は、四角形の底板を設け、当該底板の四方の端縁に側板を立設し、各側板と底板とは底板に設けた切り溝に、各側板の下端から突出する差込突片を嵌め入れて接合し、各側板相互の接合は隣接する側板の一方の側に係止体を設け他方の側板に被係止体を設け、これらの係止体を被係止体に係止する構造とし、各側板と底板、各側板相互の接合部分にパッキン材を沿わせて設けて組み立て自在とした、車椅子用浴槽とした。
【００１７】
請求項１０の発明は四角形の底板を設け、当該底板の四方の端縁に側板を立設し、各側板と底板とは底板に設けた切り溝に、各側板の下端から突出する差込突片を嵌め入れて接合し、各側板相互の接合は蝶番により行い、各側板と底板、各側板相互の接合部分にパッキン材を沿わせて設けて組み立て自在とした、車椅子用浴槽とした。
【００１８】
請求項１１の発明は、四角形の底板を設け、当該底板の四方の端縁に側板を立設し、側板の外側下端に断面略横Ｖ字型の溝を設け、また底板の四方の端縁に上記各側板の下端を差し込む切り溝を設け、これらの各切り溝は上面から下面に向かっていると共に、底板の外側から内側に向かっている傾斜した断面を有し、かつ当該溝の内面下端の外側に、上記側板の下端の断面略横Ｖ字型の溝が嵌る突条を設け、当該溝の内面上部の内側に垂直壁を設け、上記各側板下端を外側から当該切り溝に斜めに入れて側板を略垂直に立てた際、側板の外側の断面略横Ｖ字型の溝が上記切り溝の突条に嵌り、かつ側板の内側下端が切り溝の内面上部の内側の垂直壁に当接する構成とし、各側板の接合は、隣接する側板の一方の側板に係止体を設け、他方の側板に被係止体を設けこれらの係止体を被係止体に係止する構造とし、各側板と底板、各側板相互の接合部分にパッキン材を沿わせて設けて組み立て自在とした、車椅子用浴槽とした。
【００１９】
請求項１２の発明は、四角形の底板を設け、当該底板の四方の端縁に側板を立設し、側板の外側下端に横向きの突片を設け、また底板の四方の端縁に上記各側板の下端を差し込む切り溝を設け、これらの各切り溝は上面から下面に向かっていると共に、底板の外側から内側に向かっている傾斜した断面を有し、かつ当該溝の内面下端の外側に、上記側板の下端の突片が嵌る突条を設け、当該溝の内面上部の内側に垂直壁を設け、上記各側板下端を外側から当該切り溝に斜めに入れて側板を略垂直に立てた際、側板の外側下端の突片が上記切り溝の突条に嵌り、かつ側板の内側下端が切り溝の内面上部の内側の垂直壁に当接する構成とし、各側板の接合は、隣接する側板の一方の側板に係止体を設け、他方の側板に被係止体を設け、これらの係止体を被係止体に係止する構造とし、各側板と底板、各側板相互の接合部分にパッキン材を沿わせて設けて組み立て自在とした、車椅子用浴槽とした。
【００２０】
請求項１３の発明は、上記各側板の下端の外形形状と同じ外形形状を有するカバーを設けて、これを各側板の下端に嵌め、また上記各底板の側板の下端を差し込む切り溝の内周形状と同じ内周形状を有するカバーを設けて、これを底板の四方の端縁に設けた溝に嵌めたことを特徴とする、請求項１１、及び１２のいずれかに記載の車椅子用浴槽とした。
【００２１】
請求項１４の発明は、上記各側板及び底板を木製とし、これらの各側板及び底板の表面に防水塗料を塗布し、その塗布面に剥離剤を施した後、これらの上から鏡面仕上げの平板を圧着し、上記防水塗料が固化した後に、上記平板を剥がして構成した、請求項７、８、９、１０、１１、１２、及び１３のいずれかに記載の車椅子用浴槽とした。
【発明の効果】
【００２２】
請求項１乃至１２の各発明によれば、車椅子用浴槽を極めて容易に形成することが出来、車椅子に乗ったままで、容易かつ手軽に入浴することが出来る。それ故、車椅子を使用する人々が不衛生な状態を招くことも無く、車椅子を使用する人々が清潔で健康な生活を送ることに大きく貢献するものである。また、請求項１の発明によれば、立設した外枠の中でシートを吊り下げたもので、極めて容易に浴槽を形成することが出来、また、入浴出来るものである。
【００２３】
また、請求項２又は３の何れかの発明によれば、外枠の中に合成樹脂製又はゴム製の伸縮式内槽を備えて浴槽を形成したので、簡単に浴槽を形成することが出来、入浴出来るものである。また、請求項４又は５の何れかの発明によれば、伸縮式浴槽内を上下の複数の層に区分けし、これらの各層内に湯又は空気を入れた際、順に各層毎に湯又は空気が満たされる構成としたので、所望の高さの浴槽を形成することが出来、入浴することが出来る。
【００２４】
また、請求項６の発明によれば、外枠の一側を、複数の横長の板体を縦方向に接続して昇降自在な蛇腹式板体によって形成し、上記伸縮式内槽内に空気又は湯を充填した際、充填した空気又は湯の量によって形成された当該伸縮式内槽の側壁の高さに相応して上記蛇腹式板体の高さを形成できるようにしたので、例えば、足湯や腰湯などの伸縮式内槽の湯量の高さに応じた外枠の一側を形成することが出来、当該浴槽における車椅子での出入りが円滑に出来る。また、請求項７〜１４の発明によれば、４枚の側板及び１枚の底板から成る極めて簡単な構造であり、浴室内に底板を置き、この上に車椅子を載せ、この底板の上に側板を組み立てれば浴槽が完成、この浴槽に湯を入れればよい。また、底板への側板の接合は凹凸嵌合、また側板相互の接合も、凹凸嵌合、留め金、閂、くさび、Ｌ字型の金具、ラッチ等の係止体を被係止体に係止することにより接合するため、極めて簡単に接合でき浴槽が組み立てられる。また蝶番を用いた側板相互の接合では極めて容易に折り畳んだり、組立てたりできる。また、各接合部分にパッキンを沿わせて設けているため、防水効果があり、湯がほとんど外部に漏れない。
【発明を実施するための最良の形態】
【００２５】
四角形状の底板を設け、当該底板の四方の端縁の一端を残した各端縁に夫々側板を立設して一側が開放した外枠を形成し、当該外枠の底板上に、当該外枠よりやや小さく略同形状の合成樹脂製又はゴム製の断面略凹部状の伸縮式内槽を内部に湯を未充填の状態で載置した。当該伸縮式内槽の側壁を上下に複数の層で構成し、当該複数の層のうちの何れかの層に給湯口を設け、各層を一方弁によって接続し、これらの層うち一つ又は複数の層に吐出口を設けた。
【００２６】
当該伸縮式内槽の底面上に車椅子を載せ、その後当該外枠の開放した一側に側板を立設して閉じ、上記給湯口から湯を入れた際、湯が順に各層内に充填されて浴槽形状を形成し、当該浴槽形状に形成した伸縮式内槽に設けた吐出口から湯を当該伸縮式内槽の内側凹部に入れて車椅子のまま入浴出来ることとした。
【実施例１】
【００２７】
以下、この発明の実施例１を図に基づいて説明する。
図１乃至図３は、この発明の実施例１の車椅子用浴槽Ａ（以下、単に「浴槽Ａ」と言う。）を示す。この発明の浴槽Ａは、自宅などの風呂場の洗い場の床面に、四角形状の底板１を載置し、この底板１を中心として底板１及びその周囲を被うように合成樹脂製のシート２を広げる。なお本実施例においてはシート２として合成樹脂製のシートを用いたが、シート２はゴム引布等でもよく、要は湯を通さない防水性のシートであればよい。そして、この底板１上のシート２を広げた上に車椅子３を動かして停止させた後、このシート２の四隅を持ち上げ、上記底板１の四方の端縁であって、上記四隅を持ち上げた状態のシート２の周囲の四方に、側板４を立設して底板１及び各側板４を係合接続して一体とした外枠６を組立て自在に形成している。
【００２８】
これらの立設した各側板４で形成された外枠６の四つの各角部の上部に棒状の係止具５を突出させて夫々設け、これらの各係止具５に、上記シート２の四隅に予め設けた環状の各被係止具２ａを夫々係止して当該シート２全体を外枠６内に吊り下げる。その後、この四隅を吊り下げたシート２によって形成されたこのシート２上の空間内に湯を満たして車椅子３のまま入浴する。また、外枠６を形成する底板１及び各側板４は、シート２内に湯が溜められた際、当該湯から受ける圧力に充分耐え得るものとする。
【００２９】
また、排水する時は、吊り下げられたシート２の各被係止具２ａを係止具５から外して係止を解除して、このシート２を底板１上に下げれば、溜められた湯は、立設した各側板４の間の隙間から自ら流れて洗い場の排水口７に集まり、排水される（図３５参照）。その後、外枠６を形成する各側板４を夫々外して除去し、車椅子３を動かして洗い場を出る。そして、シート２と各側板４を片付けて終了となる。上記シート２は、単にシート状のものでも良いが、好ましくは予め上面の無い箱状乃至は袋状に形成したものでも良い。その場合、箱状や袋状のものの上端縁の全部又は一部を外枠６の係止具５又は上縁に係止させる。
【実施例２】
【００３０】
次に、実施例２を図４乃至図７に基づいて説明する。
この実施例２の浴槽Ｂは、外枠９とその中に入れる伸縮式内槽１１とから成る。外枠９は、四角形状の底板１０を設け、この底板１０の三方の端縁に夫々側板８を立設し、外枠９の一側を開放しているが、着脱側板８ａをはめることも出来、この様な側板８及び着脱側板８ａによって外枠９を形成している。この外枠９の底板１０上に、この外枠９よりやや小さく、図５及び図６に示す、外枠９と略同形状の合成樹脂製又はゴム製の全体がチューブから成る断面略凹部形状の伸縮式内槽１１をその内部に空気を未充填の状態で載置する。上記外枠９の一側の着脱側板８ａを取り外した状態で、外側からこの外枠９の底板１０上に在る上記伸縮式内槽１１の底面１１ａ上まで車椅子３を進めて停止させる。
【００３１】
そして、この外枠９の開放状態にある一側に着脱側板８ａを取付け、この伸縮式内槽１１の上部に設けた給気口１２から空気を入れて伸縮式内槽１１を膨張させて、この伸縮式内槽１１を浴槽形状に形成した後、図７に示すように、この伸縮式内槽１１の内側凹部に湯を満たして車椅子３のまま入浴する。
【００３２】
また、排水する時は、伸縮式内槽１１内の空気を抜くと伸縮式内槽１１の形状が収縮し、自然に湯はこぼれて、洗い場の排水口７へと流れる（図３５参照）。その後、外枠９の着脱側板８ａを外して収縮した伸縮式内槽１１の上を車椅子３を動かして洗い場を出る。そして、この伸縮式内槽１１と外枠９を片付けて終了となる。なお、この伸縮式内槽１１には伸縮式内槽１１内の空気を抜く吐出口を設けていることは勿論である。
【００３３】
さらに、上記伸縮式内槽１１に空気を充填することに代えて、図８に示すように、この伸縮式内槽１３の上部に設けた給湯口１３ａ（上記給気口１２と同じ）から湯を入れてこの伸縮式内槽１３内を満たして膨張させ、この伸縮式内槽１３の上部に設けた複数の吐出口１４からこの伸縮式内槽１３内を通って溢れ出た湯をこの伸縮式内槽１３の内側凹部に満たすようにしても良い。その際、伸縮式内槽１３が膨張して浴槽形状に成った後、作業者が上記吐出口１４をあけて湯を伸縮式内槽１３に入れる方式でもよく、又、これらの吐出口１４が一定の水圧によって開く一方弁を備え、伸縮式内槽１３内に湯が充填され膨らんだ際、自動的にこれらの吐出口１４から湯が溢れ出る構造でも良い。
なお、これらの伸縮式内槽１１又は１３は、空気又は湯により膨張させた際、側壁のみが膨らみ、底板は膨らまない構造が好ましい。
【実施例３】
【００３４】
また、実施例３は浴槽Ｃを形成する伸縮式内槽１５として、図９に示すように、伸縮式内槽１５の側壁部分を上下の複数の層１５ａに区分けし、これらの複数の層のうち、最下層に給湯口１５ｂを設け（図１０及び１３参照）、上下に繋がった各層１５ａを相互に、一定圧以上の水圧で開く一方弁によって接続し（図示省略）、また、各層１５ａに排湯口１７を設けたものを用意した。
【００３５】
上記最下層に設けられた給湯口１５ｂから湯を入れた際、下層から上層へ順に各層１５ａ毎に湯が満たされる構成とし、一方弁によって湯は逆流しないようになっており、伸縮式内槽１５の各層１５ａ内に湯が満たされた後、この伸縮式内槽１５の一つ又は複数の各層１５ａに設けた複数の吐出口１６を開けてこれらから伸縮式内槽１５の内側凹部に湯を満たすようにする。そして、この伸縮式内槽１５を上記実施例２の外枠９の中に入れて使用する。
【００３６】
そして、図１０に示すように、最下層に設けられた給湯口１５ｂから湯を入れて下層から上層へと湯を順に満たして行き、最上層の吐出口１６から伸縮式内槽１５の内側凹部に湯を満たすようにしても良く、また、図１１に示すように、最上層に設けられた給湯口１５ｂから湯を入れて上層から下層へと湯を満たして行き、最下層の吐出口１６から伸縮式内槽１５の内側凹部に湯を満たすようにしても良い。
【００３７】
さらに、図１２に示すように、最上層に設けられた給湯口１５ｂから湯を入れて上層から下層へと順に各層１５ａに湯を満たして行き、途中の第二層の吐出口１６を開けてこれらから伸縮式内槽１５の内側凹部に湯を満たすようにし、この状態で当該伸縮式内槽１５を使用しても良く、また、逆に、図１３に示すように、最下層に設けられた給湯口１５ｂから湯を入れて下層から上層へと湯を満たして行き、途中の第三層の吐出口１６を開けてこれらから伸縮式内槽１５の内側凹部に湯を満たすようにして使用しても良い。
要するに、当該実施例３の浴槽は、伸縮式内槽１５の高さを調整出来るものである。
【００３８】
排水する時は、伸縮式内槽１５の各層に設けた各排湯口１７を開ければ、当該伸縮式内槽１５が収縮し始め、伸縮式内槽１５の内側凹部に満たされた湯も自然に洗い場の排水口７へと流れる（図３５参照）。その後、収縮した伸縮式内槽１５の上を車椅子３を動かして洗い場を出る。そして、この伸縮式内槽１５と外枠（図示省略）を片付けて終了となる。なお、この実施例の浴槽Ｃは、外枠を設けた内槽としても良く、また、外枠内に入れずこの伸縮式内槽１１をそのまま浴槽として使用することもできる。
また、この伸縮式内槽１５は、そのままで、内部に空気を充填する浴槽を形成できる。この場合は上記給湯口１５ｂが給気口となり、排湯口１７が排気口となる。そして、別途この浴槽内に湯を入れるものである。
【実施例４】
【００３９】
また、実施例４の浴槽Ｄとして、図１４乃至図１６に示すように、外枠１８の開放された一側に、横長の板体２０を、左右の両端に環状の被係止具２１を夫々突出させて設け、この様な板体２０を横長のままで、五枚、縦方向に隙間を設けてロープ２２で相互に接続して蛇腹式板体１９ａを形成している。蛇腹式板体１９ａの最上部の板体２０ａには、外枠１８の底板２６上に載置された伸縮式内槽１５内に湯を入れて立設した際、この伸縮式内槽１５の一側の上端縁に係止する略コの字状のフック２３を二つ設けている。
【００４０】
さらに、蛇腹式板体１９ａに隣接する各側板１９の当該蛇腹式板体１９ａ側の各端縁付近には、一部を切り欠いた略環状の係止具２４を夫々上下に設けており、これら上下の各係止具２４に、上記各板体２０の左右の環状の被係止具２１に予め挿通した、長方形状の金属性の枠体２５を縦方向に係止するようになっている。これらの構成により、上記板体２０を五枚連ねて形成した蛇腹式板体１９ａは、枠体２５上を昇降自在に設けられており、最上部の板体２０ａのフック２３が係止される伸縮式内槽１５の上端縁の高さによって、高さを変えることが出来る。
【００４１】
例えば、図１４に示すように、上記伸縮式内槽１５内に湯を充填した際、充填した湯の量によって形成された伸縮式内槽１５の側壁の高さは変わる。その際、蛇腹式板体１９ａの最上部の板体２０ａの上記フック２３をこの伸縮式内槽１５の上端縁に係止して蛇腹式板体１９ａを垂下させれば、伸縮式内槽１５の高さに相応した蛇腹式板体１９ａが形成できる。
【００４２】
また、図１５に示すように、蛇腹式板体１９ａは、上記枠体２５を上記上の係止具２４から外して、蛇腹式板体１９ａの上部を開放すれば、床面に倒すことも出来、さらに、枠体２５を下の係止具２４から外せば、蛇腹式板体１９ａは、外枠１８から完全に取り外された状態となって邪魔にならず、車椅子３でも容易に外枠１８内の伸縮式内槽１５内に入ることが出来る。
【００４３】
この様にして、車椅子３が外枠１８内の伸縮式内槽１５内に入った後に、伸縮式内槽１５の上方に設けた給湯口１５ｂから、湯を入れ、続いて伸縮式内槽１５の内側凹部にも湯を満たして入浴する。また、湯を排水する時は、外枠１８の一側を形成する蛇腹式板体１９ａの中の最上部の板体２０ａのフック２３を外して、伸縮式内槽１５の外側の下部に設けた排湯口１７（図９参照）を開ければ、この伸縮式内槽１５内の湯を始め、伸縮式内槽１５の内側凹部に満たされた湯が自然に洗い場の排水口７（図３５参照）へと流れる。その後、収縮した伸縮式内槽１５の上を車椅子３を動かして洗い場を出る。そして、この伸縮式内槽１５と外枠１８を片付けて終了となる。
【実施例５】
【００４４】
次に、この発明の実施例５の車椅子用浴槽Ｅを図１７乃至図２６に基づいて説明する。
この浴槽Ｅは底板３０の上に４枚の側板３１を立ててこれらを接合自在なもので、主に浴室内で使用する。まず、浴室内に底板３０を置き、この底板３０の上に車椅子を載せ、その後、４枚の側板３１を組み立て、この浴槽Ｅに直接湯を入れるものである。また、入浴が終わったときは、湯を排出し、各側板３１を外し、車椅子を底板３０から下ろす。
【００４５】
構成を具体的に示すと、上記底板３０は、板の外周辺の各辺縁に沿って、複数の切り溝３２を穿っている。上記各側板３１の下辺には、間隔をあけて差込突片３３を複数設け、これらの差込突片３３を上記底板３１の相応する箇所の各切り溝３２に上から差し込んで各側板３１を底板３０の上に立設している。また、上記側板３１は一方の相対向する側板３１ａと他方の相対向する側板３１ｂとの二種類あり、一方の相対向する側板３１ａはその両側の側辺の上部に開口部を有し、その開口部の水平奥部で、下方に切り込まれた鉤型切り込み３４を有し、他方の相対向する側版３１ｂは、その両側の側辺の上部に突片３５を設けている。そしてこれらを組み立てるには、まず、一方の側板３１ａを、上述のようにして底板３０に立て、その後、他方の各側板３１ｂを、両側の突片３５を一方の側板３１ａの各鉤型切り込み３４へその上部開口部から入れ、開口部の水平奥部に押し付けて、下方に伸びた切り込みに落とす。その際、各側板３１ｂの差込突片３３を上記底板３０の切り溝３２に上から挿入する。これにより、車椅子用浴槽Ｅは、図１７に示すように組み立てられる。
【００４６】
また、これらの底板３０と各側板３１との接合箇所の防水は以下の構成で行う。
まず、図１９は一方の相対向する側板３１ａの内側を示し、この側板３１ａの内側面の両側に、上辺から下辺までアングル材でできたパッキン押さえ板３６ａを、内側面にほぼ直角に突設する。また、図２０は他方の相対向する側板３１ｂの内側を示し、この側板３１ｂの内側面の両側辺に沿って、上辺から下辺までパッキン固定板３７を、内側面にほぼ直角に突設する。そして、これらの両側のパッキン固定板３７の相対向する面に、チャネル型のパッキン体３８を、各開口部を対向させて固定する。このパッキン体３８の固定方法は、接着でも良く、また取替え自在に、上記パッキン固定板３７及び側板３１ｂの内側面の適宜箇所に間隔を開けて設けた爪で係止する方法でも良い。
【００４７】
これらの一方の相対向する側板３１ａと他方の相対向する側板３１ｂを上記のように接合すると、図２１に示すように、他方の相対向する側板３１ｂのパッキン体３８の一側が一方の相対向する側板３１ａのパッキン押さえ板３６ａに当たり、これらのパッキン体３８の一側とパッキン押さえ板３６ａとは密着する。さらにこの浴槽Ｅに湯を入れると、水圧でパッキン体３８の一側はパッキン押さえ板３６ａにより密着する。また、上記パッキン体３８の一側に永久磁石を埋め込んでおき、パッキン押さえ板３６ａを鉄板等の吸磁性体にしておけば、パッキン体３８とパッキン押さえ板３６ａとはより確実に密着し、湯が外部に漏れない。
【００４８】
また、上記底板３０には、図２２に示すように、上記切り溝３２の内側に四辺形のパッキン支持枠３９を設け、このパッキン支持枠３９の各辺の外側面に、チャネル型のパッキン体４０を固定し、これらの各パッキン体４０の外側面が、底板３０の各辺の切り溝３２の一部を塞いでいる。そして、これらの各パッキン体４０は横方向には伸縮自在となっており、各パッキン体４０を横方向から押すと上記各辺の切り溝３２は開口する。
この底板３０に上述のように、各側板３１の各差込突片３３を、相応する箇所の切り溝３２に挿入して各側板３１を立設する。その際、各パッキン体４０を横から押して、各切り溝３２を開口させて差込突片３３を各切り溝３２に差し込む。これにより、図２３に示すように、各側板３１の内側面下端部は各パッキン体４０に押圧され、さらに湯をこの浴槽にいれると当該各パッキン体４０の外側の一片が水圧で押され、各側板３１の内側面下端部に密着し、防水構造となる。また、上記パッキン体４０の一側に永久磁石を埋め込んでおき、当該パッキン体４０が当接する側板３１箇所を鉄板等の吸磁性体にしておけば、パッキン体４０と側板３１とはより確実に密着し、湯が外部に漏れない。なお、上記パッキン体３８及び４０は図２４に示すごとく、チャネルの両側の側片の断面が刃のように先端が尖った形状であれば、水圧でパッキン押さえ板３６ａや側板３１により強力に密着する。
【００４９】
上記の実施例５においては底板３０にチャネル型のパッキン体４０を固定したが、図２５及び図２６に示すとおり、底板３０に固定せずに、側板３１を底板３０の上に立設した際にパッキン体４０が底板３０と密着する、各側板３１の内側面下端部に接着等によりあらかじめ固定しておいてもよい。この場合にはパッキン体４０と同じ長さで、アングル材状のパッキン押さえ板３６ｂをパッキン体４０の長手方向と平行に、そしてパッキン体４０と当接して設ける。このような構成をとることの利点は、底板３０上にあらかじめパッキン体やパッキン支持枠が固定されていないため障害がなく、当該底板３０に車椅子を載せやすいということである。
【００５０】
また上記の実施例５においては、パッキン体３８及びパッキン体４０は、それぞれ側板３１ｂ及び底板３０に接着等により固定されていたが、パッキン押さえ板３６及びパッキン支持枠３９を鉄板等の吸磁性体にしておき、側板３１を底板３０の上に立設した後に、永久磁石を埋め込んだパッキン体３８及びパッキン体４０を貼り付けるというパッキン体３８及びパッキン体４０をあらかじめ側板等に固定していない構成としてもよい。さらに、上記の実施例５においてはパッキン体３８及びパッキン体４０にチャネル型のパッキン体を用いているが、アングル材状のパッキン体を用いる構成としてもよい。
【００５１】
このように車椅子用浴槽Ｅは構成され、この浴槽の中に湯を入れても湯は外部にほとんど漏れず、漏れたとしてもその量はわずかであり、浴室内での使用では、何等不都合がない。また、この浴槽Ｅは、直接湯を入れても良いが、この浴槽Ｅ内に上記適宜の実施例の内槽を入れて外枠として使用しても良い。
【実施例６】
【００５２】
次に、この発明の実施例６の車椅子用浴槽Ｆを図２７乃至図３０に基づいて説明する。  この実施例６の車椅子用浴槽Ｆは、実施例５の場合と同様に底板４６が、板の外周辺の各辺縁に沿って、複数の切り溝４７を穿っており、上記各側板４３の下辺には、間隔をあけて差込突片４８を複数設け、これらの差込突片４８を上記底板４６の相応する箇所の各切り溝４７に上から差し込んで各側板４３を底板４６の上に立設する構成となっている。しかし、上記実施例５の場合においては側板３１ａと側板３１ｂとを嵌め合わせる構成となっていたが、この実施例６の場合においては、側板４３ａと側板４３ｂとを蝶番と掛け金で接合する構成とした。なお、浴槽Ｆは主に浴室内で使用する。
【００５３】
図２７に示すように側板４３ａと側板４３ｂは上下２つの蝶番４１で接合されている。図２８に示すようにこの蝶番４１をたたむと側板４３ａと側板４３ｂは略平行になり、図２７のように蝶番４１を開くと側板４３ａが側板４３ｂに対し直角に接することとなる。また側板４３ｂと接する側の、側板４３ａの縦の側面にはパッキン体４５が付されている。このパッキン体４５によって、側板４３ａと側板４３ｂが隙間なく接合されることとなる。パッキン体４５はゴム製のパッキン等を用いることができるが、このパッキン体４５を、側板４３ａを側板４３ｂに対して直角にした場合に側板４３ａと側版４３ｂとの間にできる隙間よりもわずかに大きいものにすれば、側板４３ａを側板４３ｂに対して直角にした場合の、つまり浴槽Ｆの側壁とした際の密閉性は高まることとなる。
【００５４】
以下、実施例６の具体的な構成を組み立て方法にしたがって説明する。底板４６の四方から切り溝４７に囲まれた箇所の上に、車椅子を載せる。それから側板４３を組み立てる。上述したように蝶番４１を開いて、側板４３ａを側板４３ｂに対し直角にする。これを２組つくり、図２９に示したように側板４３ａ同士、側板４３ｂ同士が対向するように、つまり四方を囲むようにして配置する。それから掛けがね４２ａと留め具４２ｂで、蝶番４１で接合されていない方の側板４３ａの一側と４３ｂの一側を接合する。本実施例では、図２９に示した通り鍵爪型の掛けがねと輪っか状の留め具を用いているが、本件発明に用いられる掛けがねと留め具は公知のものを用いることができ、例えば留め具を単なる杭とし、これに鍵爪型の掛けがねを引っ掛ける構成でもよい。つまり、浴槽Ｆの側壁として用いられる４枚の側板４３は、それぞれ隣り合う側板同士が掛けがね、あるいは蝶番によって接合されることとなる。その後、側板４３ａ及び側板４３ｂの下辺に、間隔をあけて複数設けられている差込突片４８を、底板４６の相応する箇所の各切り溝４７に上から差し込んで側板４３ａ及び４３ｂを底板４６の上に立設する。その後、底板４６と各側板４３との接合箇所の防水処理を行う。図３０に示すように立設された側板４３と底板４６によって形成された浴槽Ｆのうち密閉されていない接合箇所をパッキンで密閉する(なお、図３０においては掛けがね４２ａと留め具４２ｂは省略されている)。具体的には浴槽Ｆの内側の、側板４３ａと側板４３ｂが接合している四隅のうち、パッキン体４５で密閉されていない二隅をアングル材状のパッキン体４９で密閉し、浴槽Ｆの底の、側板４３ａ及び側板４３ｂと底板４６が接合している四辺もアングル材状のパッキン体４９で密閉する。これらのアングル材状のパッキン体４９は湯を浴槽Ｆに入れると水圧によってより強力に側板及び底板に密着する。また、実施例５で説明したように側板４３ａ、側板４３ｂ及び底板４６を吸磁性体にし、アングル材状のパッキン体４９の一部に永久磁石を埋め込めば、磁性によってアングル材状のパッキンが側板４３ａ等に吸い付き密閉性が高まる。さらにアングル材状のパッキン体４９の両側の側片の断面を刃のように先端が尖った形状にすれば、水圧で側板４３ａ等により強力に密着する。
【００５５】
このように車椅子用浴槽Ｆは構成され、この浴槽の中に湯を入れても湯は外部にほとんど漏れず、漏れたとしてもその量はわずかであり、浴室内での使用では、何等不都合がない。
【実施例７】
【００５６】
次に、この発明の実施例７の車椅子用浴槽Ｇを図３１乃至図３５に基づいて説明する。
【００５７】
この実施例７の車椅子用浴槽Ｇは、実施例５及び実施例６の場合と同様に底板５０が、板の外周辺の各辺縁に沿って、複数の切り溝５１を穿っており、上記各側板５２の下辺には、間隔をあけて差込突片５７を複数設け、これらの差込突片５７を上記底板５０の相応する箇所の各切り溝５１に上から差し込んで各側板５２を底板５０の上に立設する構成となっている。しかし、本実施例は、図３３、図３４に示すように実施例５及び６の場合と異なり側板同士の接合には掛けがねのみを用いる。また図３１に示すように側板５２ａの長手方向の前端面と後端面にはパッキン体５３が設けられているが、側板５２ｂにはパッキン体５３が設けられていない。なお、浴槽Ｇは主に浴室内で使用する。
【００５８】
以下、実施例７の具体的な構成を組み立て方法に従って説明する。底板５０の四方から切り溝５１に囲まれた箇所の上に、車椅子を載せる。その後、図３２に示すように側板５２ａ同士と側板５２ｂ同士が対向するように４枚の側板５２を底板５０に立設する。側板５２ａは側板５２ｂに対し直角に立設され、また側板５２ａの前後の端面に設けられたパッキン体５３が側板５２ａと側板５２ｂの隙間を埋めるように、側板５２ａと側板５２ｂはパッキン体５３を介して接合されている。密閉性を高めるために、パッキン体５３は好ましくは、側板５２ａと側板５２ｂの隙間の大きさよりもやや大きい大きさで、側板５２ａと側板５２ｂを底板５０に立設する場合に側板５２ａのパッキン体５３を側板５２ｂに押し付ける必要があるぐらいが望ましい。
【００５９】
その後、図３３、図３４で示すように浴槽Ｇの側壁を形成する４枚の側板５２は、立設を補強するためそれぞれ隣り合う側板５２同士を掛けがね５５と留め具５６で接合する。具体的には一方の側板の上面の、隣り合う側板に近い箇所に掛けがね５５を設け、隣り合う他方の側板の上面の、掛け金５５を設けた側板に近い箇所に留め具５６を設ける。この実施例では、図３３、図３４に示した通り鍵爪型の掛けがねとわっか状の留め具を用いているが、この発明に用いられる掛けがねと留め具は公知のものを用いることができ、例えば留め具を単なる杭とし、これに鍵爪型の掛けがねを引っ掛けるものでもよい。それから、浴槽Ｇの防水性を高めるために浴槽Ｇの底の側板５２ａ及び側板５２ｂと、底板５０とが接合している四辺もアングル材状のパッキン体５４で密閉する。これらのアングル材状のパッキン体５４は湯を浴槽Ｇに入れると水圧によってより強力に密着する。また、実施例５で説明したように側板５２ａ、側板５２ｂ及び底板５０を吸磁性体にし、アングル材状のパッキン体５４の一部に永久磁石を埋め込めば、磁性によってアングル材状のパッキン体５４が側板５２ａ等に吸い付き密閉性が高まる。さらにアングル材状のパッキン体５４の両側の側片の断面が刃のように先端が尖った形状にすれば、水圧で側板５２ａ等により強力に密着する。
【００６０】
このように車椅子用浴槽Ｇは構成され、この浴槽の中に湯を入れても湯は外部にほとんど漏れず、漏れたとしてもその量はわずかであり、浴室内での使用では、何等不都合がない。
【００６１】
なお、上記の実施例７の浴槽Ｇは、浴槽の側壁となる4枚の側板を掛けがねのみによって接合していたが、図３５に示すように蝶番のみによって接合する構成とすることも可能である。この場合には、蝶番の開閉のみによって、側壁を偏平にしたり、四角枠にしたりすることが可能となる。この場合には、側板を四角枠の状態にした後、底板に立設することとなる。この場合の防水については、図３５には示されていないが、浴槽Ｇを組立てた後に、底板と側板の接合部、側板同士の接合部にアングル状のパッキン体を取り付けることにより行う。
【００６２】
さらに、実施例６、７で示した浴槽Ｆ、Ｇのように掛け金や蝶番によって４枚の側板を接合する構成の他に、図３６、図３７の(イ)で示した浴槽Ｈのように各側板の外側に複数の保持金具６８を設け、これらの保持金具６８に略水平に、かつ移動自在に支持された閂６９を設け、これらの各閂６９の両端に設けた凹凸を嵌め合わせる構成とすることで、側板５２を接合する構成としてもよい。この浴槽Ｈを組立てる場合には、側板５２ａ同士と側板５２ｂ同士が対向するように４枚の側板５２を底板５０に立設した後、各側板に２つ平行に設けられている保持金具６８に閂６９を通し、図３７の(イ)に示すように隣り合う閂６９同士を両端部の凹凸で嵌合する。このように閂６９同士を嵌合する構成にすることにより、４枚の側板５２は閂６９の枠に嵌められたようになり、側板５２の位置が安定する。保持金具６８が側板５２とで作り出す隙間は、図３７の(ロ)に示すように閂６９を縦方向に自由に動かせるような大きさが望ましい。
【実施例８】
【００６３】
次に、この発明の実施例８の車椅子用浴槽Ｉを図３８乃至図６０に基づいて説明する。
【００６４】
この車椅子用浴槽Ｉの底板５８は、図３８に示すように板の外周辺の各辺縁に沿って、切り溝５９を満遍なく穿っている。この切り溝５９は底板５８の上面から下面に向かっていると共に、底板５８の外側から内側に向かっている傾斜構造となっており、図４４に示すように当該切溝５９内の底板５８の外側方向の下部に断面が鋭角に尖った突条５９ａを設け、また切り溝５９内の底板５８の内側方向の上部に角部を削った垂直壁５９ｂを設けている。なお、底板５８は、図３９に示すように切溝５９を、板の外周辺の各辺縁に沿って一定の間隔をあけて穿っている構成にしてもよい。このような場合には、更に図４０に示すように底板５８の裏側にボタン状のゴム７３を貼り付けることで、底板５８と地面との間に隙間を設ける構成としてもよい。底板５８と地面との間に隙間を設けることで側板６０を底板５８に立設しやすくなり、また後述するように側板６０や底板５８に排水孔を設ける構成の場合には排水が流れやすくなる。なお図４０では底板５８と地面との間に隙間を設けるためにボタン上のゴムが記載されているが、例えば底板５８の裏側に切り溝５９を避けて格子状に角材を貼り付けてもよく、要は底板５８と地面との間に隙間を設けることのできる構成であればよい。
各側板６０ａ及び６０ｂの下端には、図４１及び図４２に示すように、断面が略横Ｖ字型の窪み６１ａを外側面に有する差込突片６１を設け、図４４の(イ)のように、この差込突片６１を上記底板５８の切り溝５９に斜めから差し込んで、図４４の(ロ)のように、差し込んだ後に側板６０ａを底板５８に対し垂直に立てることで、切り溝５９内の突条５９ａに、前記した差込突片６１の窪み６１ａを引っ掛け、側板６０ａの内側下端を切り溝５９内の底板５８の内側方向の上部の垂直壁５９ｂに当接させて、各側板６０ａを底板５８の上に立設する構成となっている。つまり、まず側板６０ａを浴槽の外側方向に斜めにして切り溝５９に差し込み、それから底板５８に垂直に立てるわけである。なおここでは側板６０ａについて説明したが側板６０ｂも同様にして底板５８に立てるものである。
側板同士の接合は、図４５及び図４６に示すように、相対する１組の側板６０ａの両側端から突出した、中央に孔６３を有する差込突片６２を、相対する他の１組の側板６０ｂに設けられた貫通孔６４に嵌め入れ、その後差込突片６２の孔６３にくさび６５をはめ込むことにより行う。
【００６５】
以下、実施例８の具体的な構成を車椅子用浴槽Ｉの組み立て方法に従って説明する。底板５８の四方から切り溝５９に囲まれた箇所の上に、車椅子を載せる。その後、１組の側板６０ａと１組の側板６０ｂが対向するように４枚の側板６０を底板５８に立設する。この側板６０を底板５８に立設する場合には、まず、側板６０ａを立設した後、側板６０ｂを立設する。側板６０ｂを立設する場合には、同時に側板６０ａの差込突片６２が側板６０ｂの貫通孔６４に嵌合するように立設する。なお図４１、図４２、図４５では、側板６０のそれぞれの下辺に設けられている差込突片６１は、下辺のほぼ端から端までの長さのものが一つ付いているが、底板５８の切溝５９が板の外周辺の各辺縁に沿って一定の間隔をあけて穿っている構成のものである場合には、図４７に示すように側板６０は差込突片６１を複数設ける構成とする。なお、図４７に示した側板６０の差込突片６１の数及び配置と、図３９及び図４０に示した底板５８の切り溝５９の数及び配置は一致していないが、実際には一致させなければならない。また、くさび６５は図４６では角棒が示されているが、丸棒でも三角棒でもくさびの役割を果たすものであれば形状は問わない。従って、差込突片６２の中央に設けられている孔６３は、嵌め込むくさびの形状によって変化する。
【００６６】
この浴槽Ｉの防水については実施例５〜７と同様にパッキン体６６によっておこなう。具体的には、浴槽Ｉを組立てた際に側板６０同士の接合部、底板５８と側板６０との接合部にパッキン体６６が介在する構成とする。そのために側板６０ａでは図４１に示す位置に、側板６０ｂでは図４３に示す位置にパッキン体６６を付す構成とする。あらかじめパッキン体６６を側板６０に付しておけば、浴槽Ｉを組立てる際に接合部にパッキン体を貼り付ける手間がなくなり便宜である。以上によって浴槽Ｉは組み立てられこの中に湯を入れて使用する。使用後は上記くさび６５を外して各側板６０を浴槽Ｉの外側方向へ斜めに倒し、底板５８から抜いて車椅子を底板５８から下ろす。
【００６７】
また浴槽Ｉの側板６０同士の接合に関しては、図４８に示すように各側板６０の外側面の、隣接する側板に近い位置に、縦方向に突起７０をそれぞれ設け、この隣接する側板６０同士の２つの突起７０を略Ｌ字型の両端に係止縁の付いた係止金具７１で挟むことにより、隣接する側板を接合してもよい。なお図４８では係止金具７１がなくなってしまわないように、係止金具７１は側板６０ａに設置されている棒７２に支持されている。
【００６８】
更に浴槽Ｉの側板６０同士の接合に関しては、ラッチを用いて接合してもよい。具体的には、図４９に示すように側板６０ａの外側面の隣接する側板６０ｂとの接合部に近い箇所にラッチ７８を取り付け、このラッチ７８を掛けた際にラッチ７８の錠の外周が嵌るように、錠の長手方向の延長線上に貫通孔７９ａを有する金具７９を側板６０ａの外側面と直角に取り付ける。
一方、側板６０ｂには、図５０に示すように両側端部に（但し、図５０では一側端部のみを図示）、側板６０ａの外側端縁を係止し、金具７９を嵌める貫通孔８０ａを有するＬ型金具８０を取り付ける。
そして、まず相対する側板６０ａを底板５８に立設した後、側板６０ｂを立設する。側板６０ｂを立設する際には、側板６０ａに取り付けられた金具７９がＬ型金具８０の貫通孔８０ａに嵌るようにする。
なお側板６０ａが立設されている状態で、側板６０ｂを底板５８に立設すると、側板６０ａの外側面から突出している金具７９と側板６０ｂの両側端部に設けられたＬ型金具８０の端面が接触してしまう。そのため側板６０ｂを立設する場合には側板６０ａを底板５８の切り溝５９から持ち上げて、浴槽Ｉの内側方向にわずかに傾ける必要がある。
その後、図５１及び図５２に示すようにラッチ７８の錠を動かして金具７９の貫通孔７９ａに嵌める。このラッチを用いる構成を採ると、前述したくさび６５のような側板６０から独立した部品を用いる必要がないため、部品をなくしたりする心配がなくなり便宜である。
このラッチを用いた側板６０同士の接合構成は、実施例７で示した底板の切り溝に側板の下端に設けられた差込突片をはめ込んで側板を底板に立設する構成でも採用することができる。
また、金具７９の形状は図４９〜５２では板状のものが示されているが、棒状のものでもよく、要は、金具７９は長手方向とは垂直方向にラッチ７８の錠の外周が嵌る貫通孔７９ａが設けられており、かつＬ型金具８０の貫通孔８０ａに嵌る形状であればよい。
【００６９】
このラッチを用いた側板６０同士の接合構成でも、浴槽Ｉの防水は、側板同士の接合箇所にパッキン体６６を介在させる構成とする。図４９及び図５１のように側板６０ａの外側端縁にパッキン体６６を貼り付けておいてもよいし、図５３、図５４で示したように側板６０ａと側板６０ｂの突き合わせにパッキン体が略半分だけ嵌る溝をそれぞれ設け、側板６０同士を接合するとこれらの溝にパッキン体６６が埋め込まれる構成としてもよい。
【００７０】
また、側板６０同士の接合は、上記のものに代えて、図５５に示すように、一方の側板６０ａの外側面の、隣接する側板６０ｂとの接合部に近い箇所に、係止金具９０を設け、また、上記隣接する側板６０ｂの相応する箇所に、一端が半円に丸まった折曲縁９１ａを有する被係止金具９１を設けたものでも良い。これらの係止金具９０と被係止金具９１とは、通常、トランク等の係止金具として用いられているものである。側板６０同士を接合する場合、一方の側板６０ａの係止金具９０のハンドル９０ａを起こして当該ハンドル９０ａの長孔９０ｂに一端を係止したフック９０ｃを、他方の側板６０ｂの被係止金具９１の折曲縁９１ａに引っ掛けてハンドル９０ａを倒すと、フック９０ｃが被係止金具９１を引っ張り、側板６０ａと側板６０ｂとが接合される。これにより、側板６０ｂの内側端縁に沿って穿った鉤型溝に固着されていたパッキン６６が、側板６０ａの内側端縁に沿って穿った鉤型凹部に押圧されて、これらの側板６０同士の接合は防水効果のある接合となる。しかも、これらの係止金具９０と被係止金具９１は、側板６０ａ及び側板６０ｂに取り付けるだけの簡単な構成であり、操作も容易なものである。
【００７１】
前述したようにこの浴槽Ｉは、側板６０の下辺に設けられた差込突片６１を底板５８の切り溝５９に差し込んで組立てる構成であるため、何度も使用すると差込突片６１や底板５８の切り溝５９付近が摩擦により削れてしまう可能性がある。そのため図５６に示すように、底板５８には、切り溝５９付近を覆うために金属製あるいはプラスチック製のカバー６７ａを嵌め、図５７に示すように側板６０には、下辺の差込突片６１部分を覆う金属製あるいはプラスチック製のカバー６７ｂを嵌める構成としてもよい。
【００７２】
さらに、通常の家庭用浴槽でよく見られるように、側板６０あるいは底板５８のいずれかの箇所に浴槽内のお湯を排水するための孔を穿っておき、その孔にゴム製の栓をする構成にしておけば、側板６０を取り外さなくても浴槽Ｈのお湯を排水することができて便宜である。
【００７３】
また前述した実施例８の構成では、底板５８は板の外周辺の各辺縁に沿って切り溝５９を穿っており、側板６０の外側面下端には、断面が略横Ｖ字型の窪み６１ａを有する差込突片６１が設けられているが、底板や側板自体を加工せず、底板については図５８に示すように角材７５を底板７４の上面に貼り付けることで孔５９と同構造の孔をつくり出し、一方側板については、図５９及び図６０に示すように側板７６の差込突片の下端に一側下端から水平縁が突出した金具７７を設ける構成としてもよい。また、この構成を採用した際、図６１(イ)、(ロ)で示すように差込突片６１の内側下端の角部を斜めに切り欠いた構成にすれば、底板５８の切り溝５９の構造を簡略化することができて便宜である。なお、図６１（イ）、（ロ）に示したように差込突片６１の内側下端の角部を斜めに切り欠く加工をすると、手間やコストがかかってしまうので、図６２（イ）図に示すように、あらかじめ底板５８の切り溝５９の内周形状を有するカバー８２ａと、図６２（ロ）図に示すように、側板６０の差込突片６１の下端の外形形状を有するカバー８２ｂを夫々一体成型しておき、これらのカバー８２をそれぞれ底板５８の切り溝５９と側板６０の差込突片６１に嵌め込む構成としてもよい。これらのカバー８２は金属やプラスチックで成型する。これらのカバー８２を用いれば、側板６０の下端や底板５８の切り溝５９にそれぞれ複雑な加工を施す必要がなくなり便利である。なお、このカバーを用いる構成は、図４１や図４７や図５９の側板の下端、図３８や図３９の底板の切り溝にも採用できる。
【００７４】
また、図５２に示したように浴槽Ｉの側板の上端面に沿って、化粧板８１を取り付ければ、普通の浴槽ように見えて、見栄えもよくなる。なお図５２では例として浴槽Ｉに化粧板８１を取り付けたものを示しているが、他の浴槽Ｅ、Ｆ、Ｇ、Ｈも同様に化粧板８１を取り付けることができる。
【００７５】
また、上記実施例の浴槽Ｅ、Ｆ、Ｇ、Ｈ、Ｉにおける底板３０、４６、５０、５８は、使用の際に車椅子が乗り降りするため、これらの底板に傷が付き、水の染み込みから、材質によっては腐敗が始まる場合がある。そこで、図６３に示すように、これらの底板の、車椅子の車輪が当たる上面部分に金属やプラスチックから成る帯状の補強板９２を取り付けておいても良い。これにより底板が痛まず、長期にわたって使用できる。なお、これらの補強板９２の取り付けは、適宜の方法でよく、当該補強板９２を底板に接着剤で貼り付けてもよく、また、２枚の帯状片９２ａを夫々、その端縁を底板に設けた溝に差し込んで固定し、各帯状片９２ａを直線状につなげて上記各補強板９２を形成してもよい。
【００７６】
さらに、以上の様な、浴槽Ａ、Ｂ、Ｃ、Ｄ、Ｅ、Ｆ、Ｇ、Ｈ、Ｉ及び各伸縮式内槽１１、１３、１５を風呂場の洗い場に設置した後、これらの浴槽Ａ、Ｂ、Ｃ、Ｄ、Ｅ、Ｆ、Ｇ、Ｈ、Ｉ及び各伸縮式内槽１１、１３、１５を使用しない時は、図６４に示すように、これらの浴槽Ａ、Ｂ、Ｃ、Ｄ、Ｅ、Ｆ、Ｇ、Ｈ、Ｉを形成する外枠６、９、１８の着脱側板や蛇腹式板体１９ａ、側板３１、側板４３、側板５２、側板６０等を外して外枠６、９、１８の底板１０、２６、３０、４６、５０、５８上に載置し、さらにその上に伸縮式内槽１１、１３、１５を収縮させたものを載置しておけば、これらの浴槽Ａ、Ｂ、Ｃ、Ｄ、Ｅ、Ｆ、Ｇ、Ｈ、Ｉを風呂場に設置しても邪魔にならず、コンパクトなものとなり、さらに、使い易くなる。
【００７７】
なお、この発明は、車椅子用浴槽としたが、車椅子に限らず、肢体の不自由な人を椅子に座らせたまま、浴槽に入ることが出来るものである。またこの浴槽Ｅ、Ｆ、Ｇ、Ｈ、Ｉの材質については合成樹脂を用いてもよいし、木材を用いてもよいが、木材の場合はお湯を吸って重くなったり、腐るのを防ぐため表面に防水塗料を塗布するか、透明なアクリル樹脂のカバーを一体に被せてもよい。ここで、防水塗料の塗布の仕方について具体的に説明する。まず、浴槽の内側となる各側板と底板の面にエポキシ樹脂等の防水塗料を塗布する。それから、後に剥がれやすくするために油等の剥離剤を塗った平板を塗布面に圧着する。ここで用いる平板は、凹凸や突起のない表面の滑らかな鏡面仕上げの金属板やアクリル板を用いる。そして、防水塗料が固着した後、圧着していた平板を取り除く。このように平板を圧着させて防水塗料を固着させると、上記防水塗料の塗布面が鏡のように滑らかに仕上がり、これらの各側板や底板を用いると浴槽に入浴した際、肌触りが非常に良くなる。なお、上記の説明では浴槽の内側となる側板と底板の面に防水塗料を塗布すると記載されているが、側板や底板のいずれの面に防水塗料を塗布しても良い。
【００７８】
上記実施例１において、シート２を外枠６に吊り下げるのに、係止具５や被係止具２ａを用いているが、シート２を外枠６に吊り下げる方法は、これに限らず、シート２を外枠６に吊り下げ可能な方法なら何でも良く、シート２を吊り下げる箇所もシート２の四隅に限らず、他の端縁でも良い。また、上記実施例３においては、設けられた給湯口１５ｂは排湯口１７を兼ねてもよい。さらに、上記実施例３の伸縮式内槽１５は、上記の通り外枠９、１８、又は他の外枠等に入れて使用してもよく、また、外枠に入れずに単独で使用することも出来る。
【００７９】
また、上記実施例４において、外枠１８の一側を、複数の横長の板体２０をロープ２２で相互に接続し、各板体２０の左右の両端に設けた被係止具２１を長方形状の枠体２５に係止し、最上部の板体２０ａのフック２３を伸縮式内槽１５の上端縁に係止して昇降自在な蛇腹式板体１９ａとして設けているが、昇降自在な蛇腹式板体１９ａの構成は、これらのものに限らず、長方形状の枠体２５に代えて、蛇腹式板体１９ａに隣接する各側板１９の当該蛇腹式板体１９ａ側の各端縁に棒状体を取付けて被係止具２１を係止するようにしても良い。また、側板と底板との接合及び側板相互の接合は上記実施例５〜８のものに限らず、また他の実施例のものと夫々組み換えた構成にすることも可能であり、設計によって適宜の構成を選択、採用できる。また実施例５〜８では隣接する側板相互の接合は凹凸嵌合、掛け金、閂、ラッチ等を設けているが、要は隣接する側板の一方の側板に係止体を設け、他方の側板に被係止体を設け、これらの係止体を被係止体に係止する構成であればよい。
【図面の簡単な説明】
【００８０】
【図１】この発明の実施例１の浴槽を使用して、車椅子に乗ったままで入浴している状態を示す斜視図である。
【図２】この発明の実施例１の浴槽を形成する底板、シート及び側板であって、底板の上にシートを被せ、その上に人が乗った車椅子を載せ、当該シートの近くに四枚の側板を置いた状態の斜視図である。
【図３】この発明の実施例１の浴槽であって、底板上に被せたシートの上に車椅子に乗った人が進み、当該底板の四方の端縁に各側板を立設して外枠を形成し、当該外枠にシートを吊り下げた状態を示す斜視図である。
【図４】この発明の実施例２の浴槽であって、外枠の底板上に、内部未充填の伸縮式内槽を載置し、さらに、当該外枠の一側を開けて、人が乗った車椅子を伸縮式内槽の底面上に進めた状態を示す斜視図である。
【図５】この発明の実施例２の浴槽であって、上記図４における伸縮式内槽の斜視図である。
【図６】この発明の実施例２の浴槽であって、上記図４における伸縮式内槽の内部に空気を充填して伸縮式内槽を形成した状態の斜視図である。
【図７】この発明の実施例２の浴槽を使用して車椅子に乗った人が入浴している状態を示す斜視図である。
【図８】この発明の実施例２の浴槽の上部に設けた給湯口から湯を入れて内部を満たし、さらに、上部に設けた複数の吐出口から溢れ出た湯を内側凹部に満たす浴槽の斜視図である。
【図９】この発明の実施例３の伸縮式内槽であって、側壁を上下の複数の層に区分けし、これらの各層内に湯を入れた際、順に各層毎に湯が満たされる構成とし、これらの各層に湯が満たされた後、各層に設けた何れかの複数の吐出口から内側凹部に湯を満たすように設けたものの斜視図である。
【図１０】この発明の実施例３の伸縮式内槽において、最下層に設けた給湯口から湯を入れて下層から上層へと湯を満たして行き、最上層の吐出口から伸縮式内槽の内側凹部に湯を吐出している状態を示す一部断面図である。
【図１１】この発明の実施例３の伸縮式内槽において、最上層に設けた給湯口から湯を入れて上層から下層へと湯を満たして行き、最下層の吐出口から伸縮式内槽の内側凹部に湯を吐出している状態を示す一部断面図である。
【図１２】この発明の実施例３の伸縮式内槽において、最上層に設けた給湯口から湯を入れて上層から下層へと湯を満たして行き、途中の第四層の吐出口から伸縮式内槽の内側凹部に湯を吐出している状態を示す一部断面図である。
【図１３】この発明の実施例３の伸縮式内槽において、最下層に設けた給湯口から湯を入れて下層から上層へと湯を満たして行き、途中の第三層の吐出口から伸縮式内槽の内側凹部に湯を吐出している状態を示す一部断面図である。
【図１４】この発明の実施例４の浴槽において、伸縮式内槽の側壁の高さによって、外枠の一側の高さを変えている状態を示す斜視図である。
【図１５】この発明の実施例４の浴槽において、伸縮式内槽内部の湯を排水し、外枠の一側である蛇腹式板体を外枠の上の係止具から外して、この蛇腹式板体を床面に倒した状態を示す斜視図である。
【図１６】この発明の実施例４の浴槽において、伸縮式内槽内部に湯を満たして浴槽形状に形成し、外枠の一側である蛇腹式板体をこの伸縮式内槽の上端縁に係止した状態の斜視図である。
【図１７】この発明の実施例５の浴槽の組み立てた状態を示す斜視図である。
【図１８】この発明の実施例５の浴槽の組み立て原理を示す分解斜視図である。
【図１９】この発明の実施例５の浴槽を形成する一方の側板の内側面を示す斜視図である。
【図２０】この発明の実施例５の浴槽を形成する他方の側板の内側面を示す斜視図である。
【図２１】この発明の実施例５の浴槽を形成する一方の側板と他方の側板との接合部の防水構造を示す説明斜視図である。
【図２２】この発明の実施例５の浴槽を形成する底板の斜視図である。
【図２３】この発明の実施例５の浴槽の側板と底板との接合部の防水構造を示す端面説明図である。
【図２４】この発明の実施例５の浴槽に使用するパッキン体の断面図である。
【図２５】この発明の実施例５において、側板にパッキン体を固定した浴槽の断面図である。
【図２６】この発明の実施例５において、パッキン体を固定した側板の側面図である。
【図２７】この発明の実施例６において、蝶番によって接合されている２枚の側板を蝶番を開いた状態にした斜視図である。
【図２８】この発明の実施例６において、蝶番によって接合されている２枚の側板を蝶番を閉じた状態にした斜視図である。
【図２９】この発明の実施例６の浴槽の組み立て原理を示す分解斜視図である。
【図３０】この発明の実施例６の浴槽の防水処理であるパッキン体の配置を示す斜視図である。
【図３１】この発明の実施例７の浴槽の組み立て方法を示す分解斜視図である。
【図３２】この発明の実施例７において側板を底板に立設した状態を示す斜視図である。
【図３３】この発明の実施例７において側板を底板に立設した後に掛けがねを留め具にかけて、それぞれとなりあう側板を接合したことを示す斜視図である。
【図３４】この発明の実施例７において側板を底板に立設した後に掛けがねを留め具にかけて、それぞれとなりあう側板を接合したことを示す平面図である。
【図３５】この発明の実施例７において蝶番によって４枚の側板を接合したことを示す平面図である。
【図３６】この発明の実施例７において、各側板の外側に複数の保持金具を設け、これらの保持金具に略水平に、かつ移動自在に支持された閂を設け、これらの各閂の両端に設けた凹凸を嵌め合わせて側板同士を接合することを示す斜視図である。
【図３７】(イ)図はこの発明の実施例７において、各閂の両端に設けた凹凸を嵌め合わせることを示す概念図であり、(ロ)図はこの発明の実施例７において、閂が側板と保持金具との隙間内で自由に動かせることを示す概念図である。
【図３８】この発明の実施例８における底板を示す斜視図である。
【図３９】この発明の実施例８における底板の他の構成を示す斜視図である。
【図４０】この発明の実施例８における底板の他の構成の裏側からみた斜視図である。
【図４１】この発明の実施例８における一方の側板を示す斜視図である。
【図４２】この発明の実施例８における他方の側板を示す斜視図である。
【図４３】この発明の実施例８における他方の側板の一部の側面図であり、当該側板のパッキン体の位置を示すものである。
【図４４】この発明の実施例８における一方の側板の差込突片の切り溝内での動きを示した概念図であり、(イ)図が差込突片を切り溝内に斜めに入れた状態を示し、(ロ)図が差込突片を切り溝内で垂直に立てた状態を示している。
【図４５】この発明の実施例８における側板と底板を一部組立てた状態を示す斜視図である。
【図４６】この発明の実施例８における一方の側板と他方の側板の接合構造を示す斜視図である。
【図４７】この発明の実施例８における一方の側板の下辺に複数の差込突片が設けられているものを示した斜視図である。
【図４８】この発明の実施例８における一方の側板と他方の側板の他の接合構造を示す斜視図である。
【図４９】この発明の実施例８において、一方の側板の接合部付近にラッチが設けられていることを示した斜視図である。
【図５０】この発明の実施例８において、他方の側板の端部にＬ型金具が設けられていることを示す斜視図である。
【図５１】この発明の実施例８において、一方の側板と他方の側板がラッチにより接合されている状態を示す斜視図である。
【図５２】この発明の実施例８における浴槽において、側板の上端面に沿って化粧板を設けた概念図である。
【図５３】この発明の実施例８において、一方の側板と他方の側板の突き合わせ端面を突き合わせて、ラッチにより接合されている状態を示す斜視図である。
【図５４】この発明の実施例８において、一方の側板と他方の側板の各突き合わせ端面にパッキン体を入れる溝を設けた状態を示した斜視図である。
【図５５】この発明の実施例８において、一方の側板と他方の側板が係止金具及び被係止金具により接合されている状態を示す斜視図である。
【図５６】この発明の実施例８において底板に嵌めるカバーを示した斜視図である。
【図５７】この発明の実施例８において側板の下辺の差込突片に嵌めるカバーを示した斜視図である。
【図５８】この発明の実施例８において底板の上に角材を貼り付けて、切り溝を構成していることを示す斜視図である。
【図５９】この発明の実施例８において、側板の差込突片の下端に金具を取り付けて突条を構成していることを示す斜視図である。
【図６０】この発明の実施例８において、側板の差込突片の下端に金具を取り付けて突条を構成していることを示す側面図である。
【図６１】この発明の実施例８における一方の側板の差込突片の底板の切り溝内での動きを示した概念図であり、(イ)図が差込突片を切り溝内に斜めに入れた状態を示し、(ロ)図が差込突片を切り溝内で垂直に立てた状態を示している。
【図６２】この発明の実施例８における、（イ）図が底板の切り溝にカバーを嵌め込んだ状態を示した断面図であり、（ロ）図が側板の差込突片の下端にカバーが嵌めた状態を示した断面図である。
【図６３】この発明の実施例５から８における底板の改良例を示す斜視図である。
【図６４】この発明の各実施例の浴槽を風呂場の洗い場の床面に設置し、この浴槽の外枠の一側の板体を外してこれらを底板上に載置している状態を示す斜視図である。
【符号の説明】
【００８１】
Ａ    浴槽                              Ｂ    浴槽
Ｃ    浴槽                              Ｄ    浴槽
Ｅ    浴槽                              Ｆ    浴槽
Ｇ    浴槽                              Ｈ    浴槽
Ｉ    浴槽
１    底板                              ２    シート
３    車椅子                            ４    側板
５    係止具                            ６    外枠
７    排水口                            ８    側板
８ａ  着脱側板                          ９    外枠
１０    底板                            １１    伸縮式内槽
１２    給気口                          １３    伸縮式内槽
１４    吐出口                          １５    伸縮式内槽
１５ａ  伸縮式内槽の層                  １６    吐出口
１７    排湯口                          １８    外枠
１９    側板                            １９ａ  蛇腹式板体
２０    横長の板体                      ２０ａ  最上部の板体  
２１    環状の被係止具                  ２２    ロープ
２３    フック                          ２４    係止具
２５    枠体                            ２６    底板
３０    底板                            ３１    側板
３１ａ  側板                            ３１ｂ  側板
３２    切り溝                          ３３    差込突片
３４    鉤型切込み                      ３５    突片
３６ａ  パッキン押さえ板                ３６ｂ  パッキン押さえ板
３７    パッキン固定板                  ３８    パッキン体
３９    パッキン支持枠                  ４０    パッキン体
４１    蝶番                            ４２ａ  掛けがね
４２ｂ  留め具
４３ａ  側板                            ４３ｂ  側板
４５    パッキン体                      ４６    底板
４７    切り溝                          ４８    差込突片
４９    アングル材状のパッキン体        ５０    底板
５１    切り溝                          ５２ａ  側板
５２ｂ  側板                            ５２ｃ  側板
５２ｄ  側板
５３    パッキン体
５４    アングル材状のパッキン体        ５５    掛けがね
５６    留め具                          ５７    差込突片
５８    底板                            ５９    切り溝
５９ａ  突条                            ５９ｂ  垂直壁
６０ａ  側板                            ６０ｂ  側板
６１    差込突片                        ６１ａ  引っ掛け部
６２    差込突片
６３    孔                              ６４    貫通孔
６５    くさび                          ６６    パッキン体
６７ａ  カバー                          ６７ｂ  カバー
６８    保持金具
６９    閂                              ７０    突起
７１    係止金具                        ７２    棒
７３    ボタン状のゴム                  ７４    底板
７５    角材                            ７６    側板
７７    金具                            ７８    ラッチ
７９    金具                            ７９ａ  貫通孔
８０    Ｌ型金具                        ８０ａ  貫通孔
８１    化粧板                          ８２ａ  カバー
８２ｂ  カバー                          ９０    係止金具
９１    被係止金具                      ９２    めくれ防止板
【図１】
2006297048.tif 000003
【図２】
2006297048.tif 000004
【図３】
2006297048.tif 000005
【図４】
2006297048.tif 000006
【図５】
2006297048.tif 000007
【図６】
2006297048.tif 000008
【図７】
2006297048.tif 000009
【図８】
2006297048.tif 000010
【図９】
2006297048.tif 000011
【図１０】
2006297048.tif 000012
【図１１】
2006297048.tif 000013
【図１２】
2006297048.tif 000014
【図１３】
2006297048.tif 000015
【図１４】
2006297048.tif 000016
【図１５】
2006297048.tif 000017
【図１６】
2006297048.tif 000018
【図１７】
2006297048.tif 000019
【図１８】
2006297048.tif 000020
【図１９】
2006297048.tif 000021
【図２０】
2006297048.tif 000022
【図２１】
2006297048.tif 000023
【図２２】
2006297048.tif 000024
【図２３】
2006297048.tif 000025
【図２４】
2006297048.tif 000026
【図２５】
2006297048.tif 000027
【図２６】
2006297048.tif 000028
【図２７】
2006297048.tif 000029
【図２８】
2006297048.tif 000030
【図２９】
2006297048.tif 000031
【図３０】
2006297048.tif 000032
【図３１】
2006297048.tif 000033
【図３２】
2006297048.tif 000034
【図３３】
2006297048.tif 000035
【図３４】
2006297048.tif 000036
【図３５】
2006297048.tif 000037
【図３６】
2006297048.tif 000038
【図３７】
2006297048.tif 000039
【図３８】
2006297048.tif 000040
【図３９】
2006297048.tif 000041
【図４０】
2006297048.tif 000042
【図４１】
2006297048.tif 000043
【図４２】
2006297048.tif 000044
【図４３】
2006297048.tif 000045
【図４４】
2006297048.tif 000046
【図４５】
2006297048.tif 000047
【図４６】
2006297048.tif 000048
【図４７】
2006297048.tif 000049
【図４８】
2006297048.tif 000050
【図４９】
2006297048.tif 000051
【図５０】
2006297048.tif 000052
【図５１】
2006297048.tif 000053
【図５２】
2006297048.tif 000054
【図５３】
2006297048.tif 000055
【図５７】
2006297048.tif 000056
【図５８】
2006297048.tif 000057
【図５９】
2006297048.tif 000058
【図６０】
2006297048.tif 000059
【図６１】
2006297048.tif 000060
【図６２】
2006297048.tif 000061
【図６４】
2006297048.tif 000062
【図５４】
2006297048.tif 000063
【図５５】
2006297048.tif 000064
【図５６】
2006297048.tif 000065
【図６３】
2006297048.tif 000066